(57)【要約】【課題】  本発明は、携帯情報機器に関し、例えばＰＤＡに適用して、接続可能な周辺機器の増大に十分に対応することができるようにする。【解決手段】  本発明は、載置台に斜めに保持して自重により載置台の接点に電極２９Ａを押しつける携帯情報機器２１に関して、これらの電極２９Ａを設けた側とは逆側の自重により載置台の接点に押しつけられない側に、載置台以外の機器との接続に供する電極２９Ｂを設ける。【選択図】        図１
2005208704.tif 000002
【特許請求の範囲】
【請求項１】
載置台への載置により、背面側に傾いて前記載置台に斜めに保持されて、前記載置台を介してホスト装置に接続される携帯情報機器において、
底面に形成された凹部に、背面とほぼ平行に幅方向に延長し、両側面にそれぞれ複数の電極を配置した板状の突部を有し、
前記突部の前記背面側の電極が、少なくとも前記ホスト装置への接続用の電極であり、
前記載置台への斜めの保持により、前記載置台に設けられたコネククの接点に前記背面側の電極が押圧されて、前記背面側の電極により前記ホスト装置に接続され、
前記突部を挟持するコネクタを前記凹部に差し込むことにより、該コネクタの接点に、前記突部の両側面の電極が接続されて該コネクタを接続してなる周辺機器に接続される
ことを特徴とする携帯情報機器。
【請求項２】
前記ホスト装置への接続用の電極が、少なくとも前記ホスト装置との間のデータ入出力用の電極と、前記ホスト装置からの充電用の電源を入力する電極とである
ことを特徴とする請求項１に記載の携帯情報機器。
【発明の詳細な説明】
【技術分野】
【０００１】
本発明は、携帯情報機器に関し、例えばＰＤＡ（Personal Digital Assistants ）に適用することができる。本発明は、載置台に斜めに保持して自重により載置台の接点に電極を押しつける携帯情報機器に関して、これらの電極を設けた側とは逆側の自重により載置台の接点に押しつけられない側に、載置台以外の機器との接続に供する電極を設けることにより、接続可能な周辺機器の増大に十分に対応することができるようにする。
【背景技術】
【０００２】
従来、携帯情報機器の１つであるＰＤＡにおいては、ホスト装置であるコンピュータで送受した電子メールの確認等に利用できるようになされている。このためＰＤＡは、載置台であるクレードルを介してコンピュータに接続して、種々のデータをコンピュータとの間で送受できるようになされ、さらにクレードルの構成によりコンピュータの電源で充電できるようになされている。
【０００３】
ＰＤＡは、このようなクレードルを介したコンピュータへの接続を簡略化できるように、ＰＤＡを背面側に斜めに傾けて保持するようにクレードルが形成され、このように斜めに傾いてクレードルに保持した際の自重によりクレードルに設けられたコネクタの各接点に対応する電極を押圧するようになされている。
【０００４】
すなわち図７に示すように、クレードル１においては、台座２から背面側、上方向に斜めに延長するように背板３が設けられ、これにより矢印Ａにより示すようにＰＤＡ４の背面がこの背板３側となるようにＰＤＡ４を持ち来してＰＤＡ４をクレードルに載置することにより、背板３によりＰＤＡ４の背面をガイドして、ＰＤＡ４を斜めに傾けて保持できるようになされている。
【０００５】
さらにクレードル１は、矢印Ｂにより部分的に拡大して断面により示すように、このようにしてＰＤＡ４を保持してなるＰＤＡ４の底面と対向する面に、コネクタ５が設けられる。ここでコネクタ５は、背板３の延長する側より見て、背板３の幅方向に延長する略長方形形状により形成され、ＰＤＡ４の底面が当接する当接面６より飛び出すように形成される。またコネクタ５は、背板３とは逆側の面に、背板３の幅方向に順次接点７が設けられ、これら複数の接点７がこのクレードル１より延長するケーブルを介してコンピュータに接続されるようになされている。
【０００６】
このようなコネクタ５に係る構成に対応して、ＰＤＡ４は、コネクタ５を収納するように底面に凹部１０が形成され、この凹部１０にコネクタ５の各接点７に接触する電極８が設けられる。すなわちＰＤＡ４は、この凹部１０に、背面とほぼ平行に幅方向に延長する板状の突部９が形成され、クレードル１に載置した場合、矢印Ｂにより部分的に拡大して示すように、この突部９の背板３側面がコネクタ５の背板３とは逆側の面に当接するように形成され、この突部９の背板３側面に、図８に示すように、電極８が順次設けられるようになされている。
【０００７】
またＰＤＡ４は、底面の背面側コーナーをクレードル１の背板３に突き当てるように持ち来して当接面６に底面を押し付けた際に、コネクタ５が底面の凹部１０に収納されるように、突部９の背面側に十分な空間が形成され、またこのようにして凹部１０にコネクタ５を収納する際に、全体が回動して背面が背板３に当接するように、コネクタ５の両端部及び凹部１０にガイドが形成される。
【０００８】
これらによりＰＤＡ４は、底面の背面側コーナーをクレードル１の背板３に突き当てるように持ち来して手を離すだけの簡易な操作によりクレードル１に斜めに保持できるようになされている。
【０００９】
ＰＤＡ４は、このようにして斜めにクレードル１に保持されて、自重により電極８が対応する接点７に押圧されるように形成される。また電極８及び接点７は、このようにＰＤＡ４の自重により押圧されてデータの送受等に十分な接続を確保できるように、十分な面積により対向するように形成される。これによりＰＤＡ４は、何ら煩わしさをユーザーに感じさせることなく、クレードル１への載置を頻繁に繰り返すことができるようになされている。
【００１０】
このようなＰＤＡ４においては、例えば特開２００２−６９８６号公報に開示されているように、突部８に係合するコネクタにより、例えばキーボード、携帯電話等の各種周辺機器を接続して種々に使い勝手を向上するようになされている。
【００１１】
ところでこのＰＤＡ４において、接続可能な周辺機器が増大すれば、一段と使い勝手を向上できると考えられる。しかしてこのように接続可能な周辺機器が増大した場合には、その分、必要な電極８の数も増大することになる。
【００１２】
しかしながら上述した手法によりクレードルに保持する場合にあっては、ＰＤＡの自重により電極８を接点７に押し当てて十分な電気的接続を確保することが必要なことにより、電極８及び接点７をある程度大きな面積により作成することが必要であり、これにより周辺機器の増大による電極数の増大に十分対応できない問題がある。因みに、幅方向に電極数を増大させる場合、ＰＤＡの幅により電極数が制限されてしまう。またこのように幅方向に電極数を増大させる場合にあっては、１つの電極当たりの自重による押圧力が低減することにより、十分な電気的な接続を確保できなくなる恐れもある。
【特許文献１】特開２００２−６９８６号公報
【発明の開示】
【発明が解決しようとする課題】
【００１３】
本発明は以上の点を考慮してなされたもので、載置台に斜めに保持して自重により電極を接点に押しつけて載置台に接続する携帯情報機器に関して、接続可能な周辺機器の増大に十分に対応することができる携帯情報機器を提案しようとするものである。
【課題を解決するための手段】
【００１４】
かかる課題を解決するため請求項１の発明においては、載置台への載置により、背面側に傾いて載置台に斜めに保持されて、載置台を介してホスト装置に接続される携帯情報機器に適用して、底面に形成された凹部に、背面とほぼ平行に幅方向に延長し、両側面にそれぞれ複数の電極を配置した板状の突部を有し、突部の背面側の電極が、少なくともホスト装置への接続用の電極であり、載置台への斜めの保持により、載置台に設けられたコネクタの接点に背面側の電極が押圧されて、背面側の電極によりホスト装置に接続され、突部を挟持するコネクタを凹部に差し込むことにより、該コネクタの接点に、突部の両側面の電極が接続されて該コネクタを接続してなる周辺機器に接続されるようにする。
【００１５】
請求項１の構成により、載置台への載置により、背面側に傾いて載置台に斜めに保持されて、載置台を介してホスト装置に接続される携帯情報機器に適用して、底面に形成された凹部に、背面とほぼ平行に幅方向に延長し、両側面にそれぞれ複数の電極を配置した板状の突部を有するようにすれば、背面側だけに電極を設ける場合に比して、電極の面積を小さくすることなく、電極の数を増大させることができる。またこのようにして突部の背面側の電極が、少なくともホスト装置への接続用の電極であり、載置台への斜めの保持により、載置台に設けられたコネクタの接点に背面側の電極が押圧されて、背面側の電極によりホスト装置に接続され、突部を挟持するコネクタを凹部に差し込むことにより、該コネクタの接点に、突部の両側面の電極が接続されて該コネクタを接続してなる周辺機器に接続されるようにすれば、接続可能な周辺機器の増大により必要なコネクタ数が増大した場合にあっても、周辺機器用の電極にあっては、背面側とは逆側面の電極により対応し得、これにより斜めに載置台に載置することによる使い勝手を確保しつつ、接続可能な周辺機器の増大に対応することができる。
【発明の効果】
【００１６】
本発明によれば、載置台に斜めに保持して自重により電極を接点に押しつけて載置台に接続する携帯情報機器に関して、接続可能な周辺機器の増大に十分に対応することができる。
【発明を実施するための最良の形態】
【００１７】
以下、適宜図面を参照しながら本発明の実施例を詳述する。
【実施例１】
【００１８】
（１）実施例の構成
図１は、本発明の実施例１に係るＰＤＡを示す平面図及び底面図である。このＰＤＡ２１は、全体が偏平な長方形形状により形成され、タッチパネルを設けてなる液晶表示部２２、各種操作用の操作子２３が表側面（図１（Ａ））に設けられる。これによりＰＤＡ２１は、これらの操作子２３を操作してコンピュータからダウンロードした各種のデータを利用できるようになされている。
【００１９】
ＰＤＡ２１において、底面（図１（Ｂ））には、幅方向の中央部分に、略長方形形状による凹部２６が形成され、この凹部２６のほぼ中央に、背面とほぼ平行に幅方向に延長する平板形状による突部２８が設けられ、この突部２８の背面側面に、電極２９Ａが順次設けられる。ここでこれら凹部２６、突部２８、電極２９Ａは、図７及び図８について上述したＰＤＡ１と同様に、底面の背面側コーナーをクレードルの背板に突き当てるように持ち来してクレードルに保持した際に、クレードルに設けられたコネクタがこの底面の凹部２６に収納されるように、突部２８の背面側に十分な空間が形成され、またこのようにして凹部２６にクレードルのコネクタを収納する際に、全体を回動させて背面がクレードルの背板に当接するように、クレードルのコネクタに対応して凹部２６にガイドが形成される。
【００２０】
しかして図２に示すように、この実施例において、クレードル３１は、台座３２から背面側、上方向に斜めに延長するように背板３３が設けられ、これにより図７との対比により図３（Ａ）及び（Ｂ）に示すように、背板３３によりＰＤＡ２１の背面をガイドして、ＰＤＡ２１を背面側に斜めに傾けて保持できるようになされている。またＰＤＡ２１の底面が当接する当接面３４に、図７について上述したと同様にしてコネクタ３５が設けられ、斜めに保持したＰＤＡ２１の自重によりこのコネクタ３５の接点３６に突部２８の電極２９Ａを押し付けて、ＰＤＡ２１との間で電気的な接続を確保するようになされている。
【００２１】
さらにＰＤＡ２１は、突部２８のクレードル用の電極２９Ａが設けられている側とは逆側の面に、幅方向に順次電極２９Ｂが設けられ、またこの凹部２６を間に挟むように、矩形形状による１対の係止孔２７が設けられる。
【００２２】
これによりＰＤＡ２１は、係止孔２７により各種の周辺装置を脱落しないように底面に保持して、又は係止孔２７により脱落しないように各種の周辺装置に保持して、突部２８に設けられた電極２９Ａ、２９Ｂによりこれらの周辺機器と電気的な接続を確保できるようになされている。
【００２３】
すなわち図４は、この種の周辺装置の１つであるモデムを示す平面図である。モデム４１は、ＰＤＡ２１とほぼ同一の幅により形成され、ＰＤＡ２１の底面に対向する面側に、ＰＤＡ２１の係止孔２７に対応するように、バネにより付勢された１組の係止爪４２が設けられ、またこの係止爪４２の内側に嵌合用の突部４３が設けられる。これによりモデム４１は、ＰＤＡ２１の底面に押し当てると、突部４３及び凹部２６によりガイドして係止爪４２が係止孔２７に係止し、ＰＤＡ２１の底面に保持されるようになされている。またモデム４１は、両側面に、ボタン４４が設けられ、このボタン４４の押圧により係止孔２７への係止爪４２の係止を解除して、ＰＤＡ２１から取り外すことができるようになされている。
【００２４】
モデム４１は、このようなＰＤＡ２１とは逆側の端面に、電話回線との接続用のコネクタ４５が設けられるのに対し、ＰＤＡ２１側の端面に、突部２８の電極２９Ａ、２９Ｂに対応するコネクタ４６が設けられる。ここでこのコネクタ４６は、図５（Ａ）及び（Ｂ）に示すように、ＰＤＡ２１の幅方向に順次複数の接点４７Ａが設けられ、また各接点４７Ａに対向するように接点４７Ｂが設けられ、これら接点４７Ａ及び４７Ｂにより突部２８を挟持するように形成され、またこれらの各接点４７Ａ及び４７Ｂが対応する電極２９Ａ、２９Ｂにそれぞれ電気的に接続されるようになされている。
【００２５】
これにより図３（Ａ）及び（Ｂ）に示すように、ＰＤＡ２１は、クレードル２１を介してコンピュータに接続する場合には、突部２８の背面側に設けられた電極２９Ａによりコンピュータに接続されるのに対し、図５（Ａ）及び（Ｂ）に示すように、周辺機器と接続する場合には、突部２８の両側面に設けられた電極２９Ａ、２９Ｂにより接続できるようになされている。
【００２６】
具体的に図６に示すように、ＰＤＡ２１は、ホスト装置との接続に係る機能であるメイン機能がこの背面側の電極２９Ａに割り当てられ、周辺装置との接続により派生する機能であるオプション機能が背面とは逆側の電極２９Ｂに割り当てられる。すなわち背面側の電極２９Ａには、アース（ＧＮＤ）、ＵＳＢ（Universal Serial Bus）に係るデータ入出力（Ｄ＋、Ｄ−、ＶＢＵＳ）、外部電源入力（ＤＣ  ＩＮ）、充電用電源入力（ＣＨＡＲＧＥ）が割り当てられるようになされている。またさらにコンピュータ側で接続された機器の判定に供する機器判定用（ＣＮＴ）、コンピュータとＰＤＡ２１との間で、それぞれが保持してなる電子メール等とのデータの一致を図る処理のトリガ（ＸＨＯＴＳＹＮＣ）が割り当てられるようになされている。
【００２７】
これに対して電極２９Ｂには、周辺機器への電源出力（ＤＣ  ＯＵＴ）、ＵＡＲＴ（Universal Asynchronous Receiver Transmitter ）による周辺機器との間のデータ入出力（ＣＴＳ、ＲＸＤ、ＴＸＤ、ＲＴＳ）、右及び左チャンネルのオーディオ出力（Ａｕｄｉｏ  Ｒ、Ａｕｄｉｏ  Ｌ、Ａｕｄｉｏ  ＧＮＤ）、マイク入力（ＭＩＣ）等が割り当てられるようになされている。ここでＵＡＲＴによるデータ入出力は、例えばモデム４１、携帯電話、カーナビゲーション装置等の各種情報機器と接続して、これらの機器との間のデータ入出力に適用される。またオーディオ出力は、このＰＤＡ２１に記録された各種のコンテンツを外部スピーカにより視聴する場合に適用される。またマイク入力は、このＰＤＡ２１により各種音声信号を取得して記録する場合に適用される。これらによりこのＰＤＡ２１では、各種の周辺機器を接続して使い勝手を向上できるようになされている。
【００２８】
（２）実施例の動作
以上の構成において、このＰＤＡ２１は（図１）、操作子２３の操作により液晶表示部２２に電子メール等が表示され、これにより携帯して出先で電子メールの内容を確認する等の処理を実行することができる。またこのような電子メール等をコンピュータからダウンロードする場合、さらには内蔵の二次電池を充電する場合（図２及び図３）、底面の背面側コーナーをクレードル１１の背板３３に付き当てるようにクレードル１１に持ち来たして載置することにより、この背板３３によりＰＤＡ２１の背面がガイドされて、背面側に斜めに傾いてクレードル１１に保持される。またこのとき、底面の凹部２６にクレードル１１のコネクタ３５が差し込まれ、このコネクタ３５の接点３６に対して、凹部２６に設けられた突部２８の背面側電極２９ＡがＰＤＡ２１の自重により押圧され、これにより接点３６に電極２９Ａが接続されて、これら接点３６、電極２９Ａを介してホスト装置であるコンピュータに接続される。
【００２９】
しかしてＰＤＡ２１においては、このようにコンピュータに接続して取得した各種の情報を出先等で確認することにより、またコンピュータにより充電することにより、コンピュータに頻繁に接続される。これによりこのようなコンピュータへの接続にあっては、簡略な操作により確実に接続されることが望まれる。
【００３０】
これに対してこのＰＤＡ２１においては、このように単にクレードル１１に持ち来して載置するだけの簡易な操作により載置し得、また取り外す場合にあっても、これとは逆にクレードルから持ち上げるだけの簡易な操作により取り外すことができ、これにより何ら煩わしさをユーザーに感じさせることなく、クレードル１１への載置を頻繁に繰り返すことができる。
【００３１】
これに対して例えばこのＰＤＡ２１を携帯電話に接続してインターネットにアクセスする場合等にあっては（図４及び図５）、例えばモデム４１を介して携帯電話に接続することにより可能となる。この場合ＰＤＡ２１は、底面の凹部２６に対して、モデム４１に設けられてなるコネクタ４６を差し込んで、このコネクタ４６に対向するように設けられてなる接点４７Ａ、４７Ｂにより突部２８が挟持され、これにより突部２８の両面に形成されている電極２９Ａ、２９Ｂがコネクタ４６の接点４７Ａ、４７Ｂに接続されてモデム４１が接続される。
【００３２】
これによりＰＤＡ２１では、周辺機器を接続してクレードル１１との接続に供する電極２９Ａによっては電極の数が不足する場合には、背面とは逆側に設けられた電極２９Ｂにより周辺機器との間の接続を確保することができ、これにより斜めに保持することによるクレードルへの載置を簡略なものとしつつ、接続可能な周辺機器の増大に十分に対応することができる。
【００３３】
（３）実施例の効果
以上の構成によれば、載置台に斜めに保持して自重により載置台の接点に電極を押しつける携帯情報機器に関して、これらの電極を設けた側とは逆側の自重により載置台の接点に押しつけられない側に、載置台以外の機器との接続に供する電極を設けることにより、接続可能な周辺機器の増大に十分に対応することができる。
【実施例２】
【００３４】
なお上述の実施例においては、ホスト装置であるコンピュータに接続する場合にのみクレードルを用いる場合について述べたが、本発明はこれに限らず、ホスト装置のみならず、頻繁に接続が予測される一部の周辺機器についても、クレードルを用いて接続するようにしてもよい。
【００３５】
また上述の実施例においては、本発明を携帯情報機器であるＰＤＡに適用する場合について述べたが、本発明はこれに限らず、例えば携帯電話等の各種携帯情報機器に広く適用することができる。
【産業上の利用可能性】
【００３６】
本発明は、ＰＤＡに適用することができる。
【図面の簡単な説明】
【００３７】
【図１】本発明の実施例１に係るＰＤＡを示す平面図及び底面図である。
【図２】図１のＰＤＡのクレードルへの載置状態を示す斜視図である。
【図３】図２のＰＤＡとクレードルとの接続の説明に供する断面図である。
【図４】図１のＰＤＡに接続されるモデムを示す平面図である。
【図５】図４のモデムとの接続の説明に供する断面図である。
【図６】電極の割り当てを示す図表である。
【図７】従来のＰＤＡの説明に供する側面図及び断面図である。
【図８】図７のＰＤＡの底面図である。
【符号の説明】
【００３８】
１、３１……クレードル、４、２１……ＰＤＡ、３、３３……背板、５、３５、４５……コネクタ、７、３６、４７Ａ、４７Ｂ……接点、８、２９Ａ、２９Ｂ……電極、９、２８……突部、１０、２６……凹部、４１……モデム
【図１】
2005208704.tif 000003
【図２】
2005208704.tif 000004
【図３】
2005208704.tif 000005
【図４】
2005208704.tif 000006
【図５】
2005208704.tif 000007
【図６】
2005208704.tif 000008
【図７】
2005208704.tif 000009
【図８】
2005208704.tif 000010